(57)【要約】【課題】  事前準備を要せずに、或る機器で現在再生中のデータコンテンツを略々同時に外部の別の機器との間で共有可能とする。【解決手段】  ユーザＡのホームネットワーク内のテレビジョンモニタ１２で所望のデータコンテンツが再生される際に、そのデータコンテンツをユーザＢ側のテレビジョンモニタ２１でも再生可能にするためのアクセス権限設定のための情報がメールヘッダに付加されて携帯電話端末１０と２０の間で交換され、その情報を元に両ホームネットワークのアクセス権限の設定がなされる。そして、所望のデータコンテンツがユーザＡ側のテレビジョンモニタ１２で再生されている間、略々同時にユーザＢ側のテレビジョンモニタ２１でもそのデータコンテンツの再生が行われる。【選択図】  図１
2008262277.tif 000002
【特許請求の範囲】
【請求項１】
第１のローカルネットワークを構築している機器にアクセス権限が与えられた複数の情報を蓄積する情報蓄積部と、
上記第１のローカルネットワーク内の上記情報蓄積部に蓄積されている情報を再生する第１の情報再生部と、
上記第１のローカルネットワークと外部ネットワークとを接続するための第１の外部ネットワーク接続部と、
第１のローカルネットワーク内に含まれ、外部ネットワークを通じて別の携帯情報端末と通信する第１の携帯情報端末と、
第２のローカルネットワークと外部ネットワークとを接続するための第２の外部ネットワーク接続部と、
第２のローカルネットワーク内に含まれ、外部ネットワークを通じて別の携帯情報端末と通信する第２の携帯情報端末と、
上記第２のローカルネットワーク内の機器である第２の情報再生部とを有し、
上記情報蓄積部の所望の情報が上記第１の情報再生部にて再生中か若しくは再生開始される際に、当該所望の情報を上記第２の情報再生部にて再生するためのアクセス権限の設定に関する情報を、所定の通信媒体を通じて上記第１の携帯情報端末と第２の携帯情報端末との間で交換し、
上記第１の携帯情報端末と第２の携帯情報端末の間で交換された上記アクセス権限の設定に関する情報に基づいて、上記第１のローカルネットワーク内の機器と第２のローカルネットワーク内の機器のアクセス権限に関する設定を行い、
上記第１のローカルネットワーク内の機器と第２のローカルネットワーク内の機器のアクセス権限に関する設定の完了後、上記所望の情報が上記第１の情報再生部にて再生されている間、略々同時に上記第２の情報再生部にて上記所望の情報の再生を行う、
ことを特徴とする情報共有システム。
【請求項２】
上記第１の携帯情報端末と第２の携帯情報端末との間では、上記所望の情報を上記第２の情報再生部にて再生するためのアクセス権限の設定に関する情報を、上記所定の通信媒体である電子メールのヘッダに付加して交換することを特徴とする請求項１記載の情報共有システム。
【請求項３】
上記第１の携帯情報端末と第２の携帯情報端末との間では、上記所望の情報を上記第２の情報再生部にて再生するためのアクセス権限の設定に関する情報を、上記所定の通信媒体である所定通話回線のデータに付加して交換することを特徴とする請求項１記載の情報共有システム。
【請求項４】
上記第１のローカルネットワーク内の機器は、上記第１の情報再生部による上記所望の情報の再生が終了した時点で、上記第２の情報再生部に対して設定されていたアクセス権限を停止することを特徴とする請求項１記載の情報共有システム。
【請求項５】
第１のローカルネットワークを構築している機器にアクセス権限が与えられた複数の情報のうち、所望の情報が、当該第１のローカルネットワーク内の第１の情報再生部にて再生若しくは再生開始されるステップと、
上記第１の情報再生部にて上記所望の情報が再生若しくは再生開始される際に、当該所望の情報を第２のローカルネットワーク内の第２の情報再生部にて再生するためのアクセス権限の設定に関する情報を、所定の通信媒体を通じて、上記第１のローカルネットワーク内の第１の携帯情報端末と第２のローカルネットワーク内の第２の携帯情報端末との間で交換するステップと、
上記第１の携帯情報端末と第２の携帯情報端末の間で交換された上記アクセス権限の設定に関する情報に基づいて、上記第１のローカルネットワーク内の機器と第２のローカルネットワーク内の機器のアクセス権限に関する設定を行うステップと、
上記第１のローカルネットワーク内の機器と第２のローカルネットワーク内の機器のアクセス権限に関する設定の完了後、上記所望の情報が上記第１の情報再生部にて再生されている間、略々同時に上記第２の情報再生部にて上記所望の情報の再生を行うステップとを有する、
ことを特徴とする情報共有方法。
【請求項６】
第１のローカルネットワーク内に含まれる携帯情報端末において、
第１のローカルネットワークを構築している機器にアクセス権限が与えられた複数の情報のうち、所望の情報が、当該第１のローカルネットワーク内の第１の情報再生部にて再生若しくは再生開始される際に、当該所望の情報を第２のローカルネットワーク内の第２の情報再生部にて再生するためのアクセス権限の設定に関する情報を、所定の通信媒体を通じて、上記第２のローカルネットワーク内の携帯情報端末との間で交換する、
ことを特徴とする携帯情報端末。
【請求項７】
上記第２のローカルネットワーク内の携帯情報端末との間で、上記所望の情報を上記第２の情報再生部にて再生するためのアクセス権限の設定に関する情報を、上記所定の通信媒体である電子メールのヘッダに付加して交換することを特徴とする請求項６記載の携帯情報端末。
【請求項８】
上記第２のローカルネットワーク内の携帯情報端末との間で、上記所望の情報を上記第２の情報再生部にて再生するためのアクセス権限の設定に関する情報を、上記所定の通信媒体である所定通話回線のデータに付加して交換することを特徴とする請求項６記載の携帯情報端末。
【請求項９】
第２のローカルネットワーク内に含まれる携帯情報端末において、
第１のローカルネットワークを構築している機器にアクセス権限が与えられた複数の情報のうち、所望の情報が、当該第１のローカルネットワーク内の第１の情報再生部にて再生若しくは再生開始される際に、当該所望の情報を第２のローカルネットワーク内の第２の情報再生部にて再生するためのアクセス権限の設定に関する情報を、所定の通信媒体を通じて、上記第１のローカルネットワーク内の携帯情報端末との間で交換する、
ことを特徴とする携帯情報端末。
【請求項１０】
上記第１のローカルネットワーク内の携帯情報端末との間で、上記所望の情報を上記第２の情報再生部にて再生するためのアクセス権限の設定に関する情報を、上記所定の通信媒体である電子メールのヘッダに付加して交換することを特徴とする請求項９記載の携帯情報端末。
【請求項１１】
上記第１のローカルネットワーク内の携帯情報端末との間で、上記所望の情報を上記第２の情報再生部にて再生するためのアクセス権限の設定に関する情報を、上記所定の通信媒体である所定通話回線のデータに付加して交換することを特徴とする請求項９記載の携帯情報端末。
【発明の詳細な説明】
【技術分野】
【０００１】
本発明は、例えばホームサーバなどに蓄積されている個人データコンテンツ等の情報を他のユーザと共有するための情報共有システム及び方法、携帯情報端末に関する。
【背景技術】
【０００２】
例えば特開２００２−３７３２９５号の公開特許公報（特許文献１）には、インターネット上に公開されたサーバ上に蓄積されているデータコンテンツを特定のユーザ間で共有させるための技術が開示されている。この特許文献１において、データコンテンツを作成した会員と、そのデータコンテンツを共有させたい非会員との間で、当該データコンテンツの共有を行う場合には、以下のような手順がとられる。
【０００３】
データコンテンツとアクセスを管理するサーバは、事前に、上記会員が作成したデータコンテンツへアクセスするためのＵＲＬとユーザＩＤ及びパスワードを生成し、非会員に対しては電子メールによりＵＲＬを送信し、一方、会員に対しては電子メールによりユーザＩＤとパスワードを送信する。また、会員は、サーバから送られてきたユーザＩＤ及びパスワードを、事前に電子メールにより非会員へ送信する。その後、サーバは、非会員の機器からデータコンテンツの共有を要求するアクセスがあった場合には、事前に会員に対して送ったユーザＩＤ及びパスワードと、当該アクセスの際に非会員から入力されたユーザＩＤ及びパスワードとを照合し、その照合によりユーザＩＤとパスワードが一致した時にのみ、当該非会員の機器に対して上記データコンテンツの共有を許可する。
【０００４】
また、現在規格の標準化作業が進められているＤＬＮＡ（Digital Living Network Alliance：登録商標）のように、ホームネットワーク内でのデータコンテンツの共有を目的とした規格では、サーバに対してアクセス可能な機器を登録し、それ以外の機器からのアクセスについては制限することにより、その登録された機器でのみデータコンテンツを利用できるようになされている。
【０００５】
【特許文献１】特開２００２−３７３２９５号公報（図１）
【発明の開示】
【発明が解決しようとする課題】
【０００６】
ところで、上述した特許文献１のような情報共有システムにおいて、会員の機器と非会員の機器との間でデータコンテンツの共有を行う場合、予めデータコンテンツのＵＲＬやユーザＩＤ及びパスワードを発行し、それらを会員や非会員へ知らせるような事前準備が必要となされ、また、非会員は機器によりサーバへアクセスする際にユーザＩＤ及びパスワードの入力を行わなければならない。
【０００７】
同様に、従来のホームネットワークのようなシステムにおいて、例えばインターネット等を介して外部の機器との間でデータコンテンツの共有を行う場合には、そのホームネットワークが外部からのアクセスを受付可能とするためのネットワーク設定や、当該ホームネットワークへの外部からのアクセスを許可する機器の登録などの事前準備が必要となる。
【０００８】
このように、従来のシステムでは、事前準備が全く行われていない場合、例えば、会員の機器で現在利用されているデータコンテンツを略々同時に外部の非会員の機器との間で共有するようなことや、或るホームネットワーク内の機器が現在利用しているデータコンテンツを略々同時に外部の別のホームネットワークの機器との間で共有するようなことはできない。
【０００９】
本発明は、このような実情に鑑みて提案されたものであり、ユーザＩＤやパスワードの発行及び送付や機器登録などの事前準備を要せずに、或る機器で現在利用しているデータコンテンツを略々同時に外部の別の機器との間で共有可能とすることで、それら両機器のユーザ間のコミュニケーションを活発にし、両機器のユーザの利便性を高めることを可能にする、情報共有システム及び方法、携帯情報端末を提供することを目的とする。
【課題を解決するための手段】
【００１０】
本発明の情報共有システムは、第１のローカルネットワークを構築している機器にアクセス権限が与えられた複数の情報を蓄積する情報蓄積部と、情報蓄積部に蓄積されている情報を再生する第１の情報再生部と、第１のローカルネットワークと外部ネットワークとを接続するための第１の外部ネットワーク接続部と、外部ネットワークを通じて別の携帯情報端末と通信する第１の携帯情報端末と、第２のローカルネットワークと外部ネットワークとを接続するための第２の外部ネットワーク接続部と、外部ネットワークを通じて別の携帯情報端末と通信する第２の携帯情報端末と、第２のローカルネットワーク内の機器である第２の情報再生部とを有し、情報蓄積部の所望の情報が第１の情報再生部にて再生中か若しくは再生開始される際に、当該所望の情報を第２の情報再生部にて再生するためのアクセス権限の設定に関する情報を、所定の通信媒体を通じて第１の携帯情報端末と第２の携帯情報端末との間で交換し、第１の携帯情報端末と第２の携帯情報端末の間で交換されたアクセス権限の設定に関する情報に基づいて、第１のローカルネットワーク内の機器と第２のローカルネットワーク内の機器のアクセス権限に関する設定を行い、第１のローカルネットワーク内の機器と第２のローカルネットワーク内の機器のアクセス権限に関する設定の完了後、所望の情報が第１の情報再生部にて再生されている間、略々同時に第２の情報再生部にて所望の情報の再生を行うことにより、上述した課題を解決する。
【００１１】
また、本発明の情報共有方法は、第１のローカルネットワークを構築している機器にアクセス権限が与えられた複数の情報のうち、所望の情報が、当該第１のローカルネットワーク内の第１の情報再生部にて再生若しくは再生開始されるステップと、第１の情報再生部にて所望の情報が再生若しくは再生開始される際に、当該所望の情報を第２のローカルネットワーク内の第２の情報再生部にて再生するためのアクセス権限の設定に関する情報を、所定の通信媒体を通じて、第１のローカルネットワーク内の第１の携帯情報端末と第２のローカルネットワーク内の第２の携帯情報端末との間で交換するステップと、第１の携帯情報端末と第２の携帯情報端末の間で交換されたアクセス権限の設定に関する情報に基づいて、第１のローカルネットワーク内の機器と第２のローカルネットワーク内の機器のアクセス権限に関する設定を行うステップと、第１のローカルネットワーク内の機器と第２のローカルネットワーク内の機器のアクセス権限に関する設定の完了後、所望の情報が第１の情報再生部にて再生されている間、略々同時に第２の情報再生部にて所望の情報の再生を行うステップとを有することにより、上述した課題を解決する。
【００１２】
また、本発明の携帯情報端末は、第１のローカルネットワーク内に含まれる携帯情報端末であり、第１のローカルネットワークを構築している機器にアクセス権限が与えられた複数の情報のうち、所望の情報が、当該第１のローカルネットワーク内の第１の情報再生部にて再生若しくは再生開始される際に、当該所望の情報を第２のローカルネットワーク内の第２の情報再生部にて再生するためのアクセス権限の設定に関する情報を、所定の通信媒体を通じて、第２のローカルネットワーク内の携帯情報端末との間で交換することにより、上述した課題を解決する。
【００１３】
また、本発明の携帯情報端末は、第２のローカルネットワーク内に含まれる携帯情報端末であり、第１のローカルネットワークを構築している機器にアクセス権限が与えられた複数の情報のうち、所望の情報が、当該第１のローカルネットワーク内の第１の情報再生部にて再生若しくは再生開始される際に、当該所望の情報を第２のローカルネットワーク内の第２の情報再生部にて再生するためのアクセス権限の設定に関する情報を、所定の通信媒体を通じて、第１のローカルネットワーク内の携帯情報端末との間で交換することにより、上述した課題を解決する。
【００１４】
すなわち、本発明によれば、第１のローカルネットワークを構築している機器にアクセス権限が与えられた複数の情報のうち、所望の情報が当該第１のローカルネットワーク内の第１の情報再生部にて再生若しくは再生開始される際に、その所望の情報を第２のローカルネットワーク内の第２の情報再生部にて再生するためのアクセス権限の設定に関する情報が、第１のローカルネットワーク内の第１の携帯情報端末と第２のローカルネットワーク内の第２の携帯情報端末との間で交換されるため、アクセス権限の設定を事前に行っておく必要がない。また、本発明によれば、所望の情報が第１の情報再生部にて再生されている間、略々同時に第２の情報再生部にて所望の情報の再生が行われるため、第１のローカルネットワークのユーザと第２のローカルネットワークのユーザは、所望の情報の略々同時再生を通じてコミュニケーションを活発に行うことができる。
【発明の効果】
【００１５】
本発明においては、第１のローカルネットワーク用のアクセス権限が与えられた複数の情報のうち、所望の情報が第１のローカルネットワークの第１の情報再生部にて再生等される際に、その所望の情報を第２のローカルネットワーク内の第２の情報再生部にて再生するためのアクセス権限の設定が行われるため、ユーザＩＤやパスワードの発行及び送付や機器登録などのアクセス権限の設定作業を事前に行わなくてもよく、また、所望の情報が第１の情報再生部にて再生されている間、略々同時に第２の情報再生部にて所望の情報の再生が行われるため、第１のローカルネットワークのユーザと第２のローカルネットワークのユーザは、所望の情報の略々同時再生を通じてコミュニケーションを活発に行うことができ、両ローカルネットワークのユーザの利便性を高めることができる。
【発明を実施するための最良の形態】
【００１６】
以下、図面を参照しながら、本発明の実施形態について説明する。
【００１７】
なお、以下の説明では、本発明の情報共有システム及び情報共有方法が適用される一実施形態として、例えばＤＬＮＡの規格に対応した二つのホームネットワークの機器間でデータコンテンツの共有がなされる場合を挙げ、また、本発明の携帯情報端末が適用される一実施形態として、ＤＬＮＡの規格に対応した携帯電話端末を挙げている。勿論、ここで説明する内容はあくまで一例であり、本発明はこれらの例に限定されないことは言うまでもない。
【００１８】
〔システムの概略構成〕
図１には、本実施形態のシステムの概略構成を示す。
【００１９】
ユーザＡのホームネットワークは、ＤＬＮＡの規格に対応したホームサーバ１１とテレビジョンモニタ１２と無線ＬＡＮ（Local Area Network）アクセスポイント１３及び携帯電話端末１０とにより構成されている。また、ユーザＢのホームネットワークは、同じくＤＬＮＡの規格に対応したテレビジョンモニタ２１と無線ＬＡＮアクセスポイント２２と携帯電話端末２０とにより構成されている。なお、両ホームネットワークには、これら例示した機器の他にも様々な機器が含まれているが、図１ではそれらの図示を省略している。
【００２０】
ユーザＡのホームネットワーク内のホームサーバ１１は、ＤＬＮＡのサーバ機能を備えており、例えばハードディスクレコーダやパーソナルコンピュータなどからなる。また、ホームサーバ１１は、外部機器などから入力された様々なデータコンテンツを内部の記憶媒体や外部機器の記憶媒体等に記録する機能や、その記録されている当該データコンテンツを必要に応じて読み出して外部機器等へ出力する機能などをも備えている。なお、本実施形態におけるデータコンテンツとしては、一例としてビデオデータやオーディオデータ、写真データなどを挙げることができる。また、当該ホームサーバ１１に接続される外部機器としては、テレビジョンモニタ１２や無線ＬＡＮアクセスポイント１３，携帯電話端末１０などを挙げることができる。図１の例の場合、ホームサーバ１１は、無線ＬＡＮアクセスポイント１３を介してテレビジョンモニタ１２や携帯電話端末１０に接続可能となされているが、勿論、それらと直接接続されても良い。
【００２１】
ユーザＡのホームネットワーク内のテレビジョンモニタ１２は、ＤＬＮＡのプレーヤ機能を備えており、デジタルテレビジョン放送等により放送されているテレビジョン放送データを受信してテレビジョン映像を画面上に映し出すと共にテレビジョン音声をスピーカから出力する機能の他に、例えばホームサーバ１１等の外部機器から入力されたビデオデータの映像を画面上に映し出すと共にオーディオデータの音声をスピーカから出力する機能等をも備えている。
【００２２】
ユーザＡのホームネットワーク内の無線ＬＡＮアクセスポイント１３は、ＤＬＮＡのネットワーク中継機能を備えており、ユーザＡのホームネットワーク内の上記ホームサーバ１１やテレビジョンモニタ１２、携帯電話端末１０等を、無線により必要に応じて接続すると共に、例えば光ケーブル等を通じて外部のネットワーク（例えばインターネットＮ）へ接続する機能を備えている。
【００２３】
ユーザＡの携帯電話端末１０は、携帯電話ネットワークＭを通じた通話や電子メールの送受信などの一般的な携帯電話端末が有する全ての機能の他に、無線ＬＡＮ機能やいわゆるブルートゥース方式（Bluetooth：登録商標）、ＵＷＢ（Ultra Wide Band）方式、赤外線通信方式などの近距離無線通信機能、ＤＬＮＡのサーバやプレイヤーをユーザが遠隔操作するためのリモートコントローラの機能等をも備えている。当該携帯電話端末１０からホームサーバ１１やテレビジョンモニタ１２へのアクセス、それらのリモートコントロールのための遠隔操作信号の送信等は、無線ＬＡＮアクセスポイント１３を介して間接的に行われるか、若しくは、自端末が備えている近距離無線通信機能により直接的に行われる。
【００２４】
上述したユーザＡのホームネットワークを構成する各機器間では、事前に、ＤＬＮＡの規格に基づいて、ＵＰｎＰ（Universal Plug and Play：登録商標）により、各機器の相互認識、ＤＬＮＡサーバの設定、ＮＡＳ（Network Attached Storage）の設定、ＰＶＲ（Personal Video Recorder）の設定、プレーヤやレンダラーの設定、データコンテンツを使用・再生等する際にそのデータコンテンツを特定するためのコンテンツパスの設定等が行われており、また、各機器へのＩＰ（Internet Protocol）アドレスの割り振りも行われている。
【００２５】
ユーザＢのホームネットワーク内のテレビジョンモニタ２１は、ユーザＡのテレビジョンモニタ１２と同様に、ＤＬＮＡのプレーヤ機能を備えており、テレビジョン放送データの受信とテレビジョン映像の画面出力及びテレビジョン音声のスピーカ出力機能、ユーザＢのホームネットワーク内では図示を省略しているホームサーバ等の外部機器からの入力ビデオデータの映像の画面出力及び入力オーディオデータの音声出力機能等をも備えている。
【００２６】
ユーザＡのホームネットワーク内の無線ＬＡＮアクセスポイント２２は、ユーザＡの無線ＬＡＮアクセスポイント１３と同様に、ＤＬＮＡのネットワーク中継機能を備えており、ユーザＢのホームネットワーク内のホームサーバやテレビジョンモニタ２１、携帯電話端末２０等を無線により接続する機能と、外部のネットワーク（例えばインターネットＮ）へ接続する機能とを備えている。
【００２７】
ユーザＢの携帯電話端末２０は、ユーザＡの携帯電話端末１０と同様に、携帯電話ネットワークＭを通じた通話，電子メール送受信などの一般的な携帯電話端末が有する全ての機能の他、無線ＬＡＮ機能等の近距離無線通信機能、ＤＬＮＡ機器のリモートコントローラ機能等を備えている。当該携帯電話端末２０からテレビジョンモニタ２１へのアクセスやリモートコントロールのための遠隔操作信号の送信等は、無線ＬＡＮアクセスポイント２２を介して間接的に行われるか、若しくは、自端末が備えている近距離無線通信機能により直接的に行われる。
【００２８】
このユーザＢのホームネットワークにおいても、ユーザＡのホームネットワークの場合と同様に、当該ホームネットワークを構成する各機器間では、事前に、ＤＬＮＡの規格に基づいて、ＵＰｎＰにより、各機器の相互認識、ＤＬＮＡサーバの設定、ＮＡＳの設定、ＰＶＲの設定、プレーヤやレンダラーの設定、データコンテンツを使用・再生等する際のコンテンツパスの設定等が行われており、また、各機器へのＩＰアドレスの割り振り等も行われている。
【００２９】
〔データコンテンツ共有の際のシーケンス例〕
図２には、図１のようにユーザＡとユーザＢのホームネットワークが構築されているような場合において、例えばユーザＡのホームサーバ１１に蓄積されている複数のデータコンテンツのうち、テレビジョンモニタ１２にて再生（ユーザＡにて視聴）されているデータコンテンツを、略々同時（略々同時刻）にユーザＢのホームネットワークでも共有可能とし、当該ユーザＢのホームネットワークのテレビジョンモニタ２１にて再生（ユーザＢによる視聴を）可能とする際の本発明実施形態のデータコンテンツ共有シーケンスの一例を示す。なお、図２の例では、無線ＬＡＮアクセスポイント１３及び２２の図示と、それら無線ＬＡＮアクセスポイント１３及び２２で行われる処理については省略している。
【００３０】
ユーザＡのホームネットワーク内のホームサーバ１１に蓄積されている複数のデータコンテンツの中から、ユーザＡが、所望のビデオ及びオーディオのデータコンテンツを選択し、そのデータコンテンツを例えばテレビジョンモニタ１２にて再生することでユーザＡが視聴を行うような場合、先ず、ユーザＡの携帯電話端末１０からは、ホームサーバ１１へデータコンテンツのリストを要求するためのアクセスが行われる。ホームサーバ１１は、当該アクセスに応じて、自サーバ内に蓄積している複数のデータコンテンツのリストを生成し、そのデータコンテンツのリストを、例えばテレビジョンモニタ１２へ送るか若しくは携帯電話端末１０へ送る。上記データコンテンツリストがテレビジョンモニタ１２に送られた場合には、当該テレビジョンモニタ１２の画面上に上記データコンテンツリストが表示され、一方、上記データコンテンツリストが携帯電話端末１０に送られた場合には、当該携帯電話端末１０の画面上に上記データコンテンツリストが表示されることになる。
【００３１】
次に、ユーザＡによる携帯電話端末１０のキー操作等を通じて、上記データコンテンツリストの中から所望のデータコンテンツが選択されると、携帯電話端末１０は、ステップＳ１の処理として、そのデータコンテンツの選択信号をホームサーバ１１へ送る。
【００３２】
さらに、ユーザＡによる携帯電話端末１０のキー操作等を通じて、テレビジョンモニタ１２により再生を行うことの指示が入力されると、携帯電話端末１０は、ステップＳ２の処理として、その再生要求をテレビジョンモニタ１２へ送る。
【００３３】
上記再生要求を受けたテレビジョンモニタ１２は、ステップＳ３の処理として、ホームサーバ１１に対し、上記ユーザＡの携帯電話端末１０からの再生要求に対応したデータコンテンツの出力を要求する。
【００３４】
上記テレビジョンモニタ１２から出力要求を受けたホームサーバ１１は、ステップＳ４の処理として、その出力要求に対応したデータコンテンツ（つまりユーザＡにて選択されたデータコンテンツ）をテレビジョンモニタ１２へ出力する。
【００３５】
上記データコンテンツを受けたテレビジョンモニタ１２は、そのデータコンテンツの再生（つまり映像出力及び音声出力）を行う。これにより、ユーザＡは、上記ホームサーバ１１内の所望のデータコンテンツの映像及び音声を、テレビジョンモニタ１２を通じて視聴可能となる。
【００３６】
ここで、テレビジョンモニタ１２にて現在再生されているか若しくは再生が開始されようとしているデータコンテンツを、別の場所に居る他のユーザ（この例の場合はユーザＢ）側でも略々同時に再生することを望む旨の指示、すなわち、ユーザＡが現在視聴中か若しくは視聴しようとしている映像及び音声をユーザＢと略々同時に視聴することを望む旨の指示が、ユーザＡから携帯電話端末１０のキー操作等を通じて入力されると、当該携帯電話端末１０は、本発明にかかるデータコンテンツ共有化を実現するためのプログラム（以下コンテンツ共有化プログラムと表記する。）を起動させる。
【００３７】
このコンテンツ共有化プログラムは、ユーザＡの携帯電話端末１０を以下のように動作させる。
【００３８】
コンテンツ共有化プログラムが起動した後の携帯電話端末１０は、上記データコンテンツの略々同時再生を望む相手方の携帯電話端末の電子メールアドレスの入力要求用ユーザインターフェース画面を、ディスプレイ画面上に表示させる。そして、ユーザＡが携帯電話端末１０のキー操作等を通じ、当該ユーザインターフェース画面内で上記相手方の電子メールアドレスを入力するか、若しくはアドレス帳に登録されている複数の電子メールアドレスの中から選択すると、携帯電話端末１０は、電子メールプログラムを起動させる。なお、電子メールプログラムの起動は、上記電子メールアドレスの入力若しくは選択前に行われていても良い。
【００３９】
携帯電話端末１０は、電子メールプログラムを起動させると、上記入力若しくは選択された電子メールアドレスを宛先とする電子メールを生成すると共に、その電子メールのヘッダ内に、通常の電子メールヘッダ情報に加えて、少なくとも、ユーザＡのホームネットワークのホームサーバ１１に対して外部からアクセスするための情報（具体的には無線ＬＡＮアクセスポイント１３及びホームサーバ１１のＩＰアドレス等）と、ユーザＡのホームネットワーク上で現在再生中か若しくは再生開始がなされようとしているデータコンテンツを特定するためのコンテンツパス、及び、当該電子メールがデータコンテンツを共有化することについて確認を求めるためのメールであることを示すメール識別情報を付加する。なお、本実施形態では、この電子メールをコンテンツ共有化確認要求メールと呼び、また当該電子メールのヘッダに付加される上記メール識別情報やコンテンツパス、ＩＰアドレス情報などのデータコンテンツの所在を表すの情報を、まとめてコンテンツ共有化関連情報と呼ぶことにする。上記コンテンツ共有化関連情報は、ヘッダ内ではなく、メール本文中に記述されていても良いが、望ましくはユーザから通常は見られないヘッダ内に付加される方がよい。勿論、当該コンテンツ共有化確認要求メールのメール本文には、ユーザＡが任意のメッセージ（例えばコンテンツを同時に視聴することを望むテキストのメッセージなど）を入力等することも可能である。
【００４０】
そして、携帯電話端末１０のキー操作等により、ユーザＡから当該コンテンツ共有化確認要求メールの送信指示が入力されると、当該携帯電話端末１０は、ステップＳ５の処理として、その電子メールを携帯電話ネットワークＭを通じてユーザＢの携帯電話端末２０へ送信する。
【００４１】
ユーザＢの携帯電話端末２０は、受信した電子メールがコンテンツ共有化確認要求メールである場合、つまり、受信した電子メールのヘッダ内に上記コンテンツ共有化関連情報が含まれている場合には、本実施形態のコンテンツ共有化プログラムを起動させる。すなわち、本発明にかかるユーザＢ側の携帯電話端末２０の電子メールプログラムは、受信した電子メールのヘッダ情報内に上記コンテンツ共有化関連情報が含まれているか否かを常に監視する機能を備えており、当該コンテンツ共有化関連情報が受信電子メールのヘッダ情報内に含まれていることを検知した場合には、上記コンテンツ共有化プログラムを起動させる。
【００４２】
上記コンテンツ共有化確認要求メールを受信することで上記コンテンツ共有化プログラムが起動した後の携帯電話端末２０は、当該電子メールの送信元であるユーザＡ側で再生中か若しくは再生が開始されようとしているデータコンテンツをユーザＢ側でも略々同時に再生することについてユーザＡが望んでいることを知らせるためのユーザインターフェース画面と、上記ユーザＡの当該データコンテンツをユーザＢ側のテレビジョンモニタ２１で略々同時に再生することをユーザＢが望むことについて入力若しくは選択を行うためのユーザインターフェース画面とを、当該携帯電話端末２０のディスプレイ画面上に表示させる。
【００４３】
このユーザインターフェース画面を通じて、ユーザＢから、上記ユーザＡ側のデータコンテンツを自ホームネットワークのテレビジョンモニタ２１にて略々同時に再生することを望む旨の入力若しくは選択がなされると、当該携帯電話端末２０は、上記コンテンツ共有化確認要求メールのヘッダ情報に付加されていたコンテンツ共有化関連情報を取り出して、そのコンテンツ共有化関連情報に含まれるＩＰアドレスにより、インターネットＮ経由でユーザＡのホームネットワークの無線ＬＡＮアクセスポイント１３及びホームサーバ１１にアクセスするためのネットワーク設定を自動的に行う。
【００４４】
また、携帯電話端末２０は、コンテンツ共有化プログラムと電子メールプログラムとが連携することで、上記コンテンツ共有化確認要求メールに対する返信メールを生成すると共に、その返信メールのヘッダ内に、少なくとも、ユーザＢのホームネットワークのテレビジョンモニタ２１が外部ネットワークに対してアクセス権限を要求する際に必要となる情報（例えば無線ＬＡＮアクセスポイント２２とテレビジョンモニタ２１のＩＰアドレス等）と、当該電子メールが上記コンテンツ共有化確認要求メッセージに対する返信メールであることを示すメール識別情報とを付加する。本実施形態では、この返信メールをコンテンツ共有化確認応答メールと呼び、また当該電子メールのヘッダに付加された上記メール識別情報やＩＰアドレス情報をコンテンツ共有化関連情報と呼ぶことにする。上記コンテンツ共有化関連情報は、ヘッダ内ではなく、メール本文中に記述されていても良いが、望ましくはユーザから通常は見られないヘッダ内に付加される方がよい。
【００４５】
なお、この例では、ユーザＡ側で再生中か若しくは再生されようとしているデータコンテンツ共有化してユーザＢ側のテレビジョンモニタ２１にて略々同時に再生することをユーザＢが望む時に、上記コンテンツ共有化確認応答メールが返信されることとしたが、例えば上記データコンテンツの共有化及び再生を望まない場合には、当該コンテンツ共有化確認応答メールの返信を行わないか、若しくは、コンテンツ共有化関連情報として共有化又は再生を望まない旨の情報を上記メールヘッダに付加して返信することになる。
【００４６】
また、この例では、ユーザＢ側のＩＰアドレス等をユーザＡ側へも知らせる例を挙げたが、ユーザＢ側からユーザＡ側へのアクセスの際には、必ずしも当該ユーザＢ側のＩＰアドレス等をユーザＡ側へ知らせておく必要はない。但し、ユーザＡ側でもユーザＢ側からのアクセスであることを確実に解析できれば、よりセキュリティ性を向上させることができるため、本実施形態ではユーザＢ側のＩＰアドレス等をユーザＡ側へ知らせることにしている。
【００４７】
次に、携帯電話端末２０のキー操作等により、ユーザＢから当該コンテンツ共有化確認応答メールの送信指示が入力されると、当該携帯電話端末２０は、ステップＳ６の処理として、その電子メールを携帯電話ネットワークＭを通じてユーザＡの携帯電話端末１０へ送信する。
【００４８】
ユーザＡの携帯電話端末１０は、ユーザＢの携帯電話端末２０からコンテンツ共有化確認応答メールが返信されてきた場合、ステップＳ７の処理として、そのメールのヘッダに付加されているコンテンツ共有化関連情報を取り出し、当該コンテンツ共有化関連情報に含まれるＩＰアドレスにより、インターネットＮ経由でユーザＢのホームネットワークの無線ＬＡＮアクセスポイント２２及びテレビジョンモニタ２１から外部アクセスがあった時に当該外部アクセスを許可するための要求を、ホームサーバ１１及び図示しない無線ＬＡＮアクセスポイント１３へ送る。
【００４９】
この要求を受けたホームサーバ１１及び無線ＬＡＮアクセスポイント１３は、上記ユーザＢ側の無線ＬＡＮアクセスポイント２２及びテレビジョンモニタ２１に外部アクセス権限を与える設定を自動的に行う。
【００５０】
但し、本実施形態において、ホームサーバ１１は、内部に蓄積している複数のデータコンテンツのうち、ユーザＢに対してアクセスを許可するのは、ユーザＡ側で現在再生中か若しくは再生されようとしているデータコンテンツ、つまり、先のコンテンツ共有化確認要求メールのヘッダに付加したコンテンツパスに対応したデータコンテンツについてのみとする設定を行う。これにより、本実施形態では、ホームサーバ１１内の他のデータコンテンツがユーザＢ側にて再生等されてしまうことを防いでいる。
【００５１】
その後、ユーザＢのホームネットワークにおいて、携帯電話端末２０のキー操作を通じて、ユーザＢから上記データコンテンツの再生指示入力がなされた場合、携帯電話端末２０は、ステップＳ８の処理として、インターネットＮを通じて、ユーザＡのホームネットワークのホームサーバ１１へアクセスし、上記データコンテンツの選択信号を当該ホームサーバ１１へ送る。
【００５２】
また、ユーザＢのホームネットワークにおいて、携帯電話端末２０のキー操作等を通じて、ユーザＢのホームネットワーク内のテレビジョンモニタ２１による上記データコンテンツの再生指示が入力されると、携帯電話端末２０は、ステップＳ９の処理として、その再生要求をテレビジョンモニタ２１へ送る。
【００５３】
上記再生要求を受けたテレビジョンモニタ２１は、ステップＳ１０の処理として、インターネットＮを通じて、ユーザＡのホームネットワークのホームサーバ１１へアクセスし、上記データコンテンツの出力を要求する。
【００５４】
上記ユーザＢ側から出力要求を受けたユーザＡのホームネットワーク内のホームサーバ１１は、ステップＳ１１の処理として、上記ユーザＢ側から選択されたデータコンテンツ、すなわちユーザＡ側で現在再生中か若しくは再生されようとしているデータコンテンツを、インターネットＮを通じて、ユーザＢのホームネットワーク内のテレビジョンモニタ２１へ出力する。
【００５５】
これにより、ユーザＢのホームネットワークのテレビジョンモニタ２１では、上記データコンテンツの再生が可能となり、したがって、ユーザＢは、ユーザＡが現在視聴中か若しくは視聴しようとしているデータコンテンツを略々同時に自ホームネットワーク内のテレビジョンモニタ２１により視聴できることになる。
【００５６】
また、本実施形態において、ユーザＡのホームネットワーク内のホームサーバ１１は、ユーザＡ側でのデータコンテンツの再生が終了した時、すなわち例えば、当該データコンテンツが最後まで再生された時や、ユーザＡが携帯電話端末１０のキー操作を通じてデータコンテンツの再生停止を指示した時には、上記ユーザＢ側の機器に対して与えたアクセス権限を取り消す設定を自動的に行う。これにより、本実施形態では、当該データコンテンツが、ユーザＢによりその後何度も再生等されてしまうことを防いでいる。
【００５７】
なお、図２のシーケンスにおいて、ステップＳ６〜ステップＳ１１は自動化することも可能であり、この場合、ユーザＡ側からのコンテンツ共通化確認要求メールを携帯電話端末２０が受信すると、当該ユーザＢ側のホームネットワークでは、ユーザＡ側で再生中か若しくは再生されようとしているデータコンテンツが自動的にテレビジョンモニタ２１で再生等されることになる。
【００５８】
〔携帯電話端末の概略構成〕
図３には、本発明実施形態のユーザＡやユーザＢの携帯電話端末１０，２０の概略的な内部構成例を示す。
【００５９】
図３に示す携帯電話端末において、通信アンテナ４２は、例えば内蔵アンテナであり通話やパケット通信のための信号電波の送受信を行う。通信回路４１は、送受信信号の周波数変換、変調と復調等を行う。本実施形態の携帯電話端末は、これら通信回路４１及び通信アンテナ４２により、音声通話やパケット通信など行う。
【００６０】
音声処理部５２は、上記通信アンテナ４２及び通信回路４１から通話音声の受信データが供給された時には、当該通話音声の受信データを復号化し、その復号化後の通話音声データをデータラインを介してスピーカ５０へ送る。これにより、スピーカ５０からは通話音声が出力されることになる。また、マイクロホン５１は、送話用及び外部音声集音用のマイクロホンである。このマイクロホン５１を介して入力された音声信号は、増幅器により所定のレベルに増幅された後、アナログ／ディジタル変換器によりディジタル音声データに変換され、データラインを介して音声処理部５２へ送られて符号化された後、データラインを介して通信回路４１へ送られて変調、周波数変換等の各種処理を受け、通信アンテナ４２から送信される。
【００６１】
表示部４３は、例えば液晶等のディスプレイとそのディスプレイの表示駆動回路とを含み、上記ディスプレイ上には電子メールの表示や写真画像等が表示される。
【００６２】
画像処理部５３は、待ち受け画面や、電子メール、スケジュール、カレンダー、電話帳などの画像データを生成し、また、デジタルカメラ機能による写真画像データ等を、データラインを介して表示部４３のディスプレイへ送って表示させる処理を行う。
【００６３】
操作部４４は、本実施形態の携帯電話端末の図示しない筐体上に設けられているテンキーや発話，終話キー／電源キー等の各キーや十字キー，シャッターボタン、ジョグダイヤル，タッチパネル等の各操作子と、それら操作子が操作された時の操作信号を発生する操作信号発生器とからなる。
【００６４】
近距離無線通信部５４は、無線ＬＡＮやブルートゥース方式，ＵＷＢ（Ultra Wide Band）方式、赤外線などによる近距離無線通信を行うためのデバイスである。
【００６５】
メモリ部４５は、ＲＯＭ（Read Only Memory）とＲＡＭ（Random Access Memory）を含む。ＲＯＭは、ＮＡＮＤ型フラッシュメモリ（NAND-type flash memory）のような書き換え可能なＲＯＭを含み、例えば、ＯＳ（Operating System）のプログラムや制御部４０が各部を制御するための制御プログラム、本発明に係る前述のＤＬＮＡ機能を実現するためのＤＬＮＡ関連プログラム４６、本発明にかかるコンテンツ共有化プログラム４７、上記コンテンツ共有化プログラム４７と連携して本発明に係る前述したコンテンツ共有化確認要求メールやコンテンツ共有化確認応答メールを含む電子メールの作成や送受信等を行う電子メールプログラム４８の他、一般的な携帯電話端末に搭載されている各アプリケーションプログラム、各種の初期設定値、フォントデータ、各辞書データ、識別情報などを記憶する。ＲＡＭは、制御部４０が各種のデータ処理を行う際の作業領域として、随時データを格納する。
【００６６】
上記制御部４０は、通信回路４１における通信の制御、音声処理部５２や画像処理部５３等の各制御の他、本実施形態の携帯電話端末の各構成要素の制御や各種演算処理を行う。特に本実施形態の場合、制御部４０は、メモリ部４５のＤＬＮＡ関連プログラム４６、電子メールプログラム４８、コンテンツ共有化プログラム４７における前述のシーケンスで説明した各処理の実行と制御等を行う。
【００６７】
その他、図３には図示を省略しているが、本発明の携帯電話端末は、年月日時等の情報を発生したり時間を計測する時計部や、キー照明や着信ライト用などのＬＥＤ（発光ダイオード）とその駆動部、バイブレータとその駆動部、各部へ電力を供給するバッテリとその電力をコントロールするパワーマネージメントＩＣ部、いわゆる電子マネーのための情報記憶と信号の送受信を行う電子財布部、ＧＰＳ通信部、カメラ機能部など、一般的な携帯電話端末に設けられる各構成要素についても備えている。
【００６８】
〔まとめ〕
以上説明したように、本実施形態によれば、アクセス制限のあるホームネットワーク内のデータコンテンツの再生（視聴等）を行う場合において、従来のようにユーザＩＤやパスワードの発行及び送付や機器登録などの事前準備を要せずに、ユーザＡ側のホームネットワークにて再生等されているデータコンテンツを略々同時（略々同時刻）にユーザＢ側のホームネットワークでも共有化して再生等することが可能となる。
【００６９】
また、本実施形態によれば、コンテンツ共通化確認要求メールの送信とそのメールに対するコンテンツ共通化確認応答メールの返信という簡単な操作のみにより、ユーザＡ側とユーザＢ側でのデータコンテンツを共有化可能となされているため、コンテンツ共有化の際の両ユーザの利便性を高めることができる。
【００７０】
また、本実施形態によれば、ユーザＡ側でデータコンテンツの再生が行われている時、ユーザＢ側でも略々同時に同じデータコンテンツの再生が可能となるため、それらユーザＡとユーザＢの間で当該共通化されたデータコンテンツを通じたコミュニケションを活発に行うことができるようになる。
【００７１】
さらに、本実施形態によれば、ホームサーバ１１内に蓄積されている複数のデータコンテンツのうち、共通化のためのアクセス権限が付与されるデータコンテンツは、ユーザＡ側で現在再生中か若しくは再生されようとしているデータコンテンツに限定され、また、そのデータコンテンツに付与されたアクセス権限が有効な期間は、ユーザＡ側でデータコンテンツが再生されている間のみとなされているため、それら以外のデータコンテンツが共通化されてしまったり、ユーザＡ側での再生が終了した後もデータコンテンツの共有化が維持され続けてしまうようなことがない。
【００７２】
また、本実施形態では、コンテンツ共通化関連情報が例えば電子メールのヘッダに付加され、そのコンテンツ共通化関連情報は携帯電話端末の内部で自動的に処理されるため、例えばユーザＢにユーザＡ側のホームネットワーク機器のＩＰアドレスやコンテンツパスが知られたり、逆にユーザＡにユーザＢ側のホームネットワーク機器のＩＰアドレス等が知られることがなく、直接ユーザを介さない機器認証ベースの強固なセキュリティを持ったシステムが構築されている。
【００７３】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００７４】
上述の実施形態では、本発明にかかる所定の通信媒体として電子メールを挙げ、当該電子メールの送受信によりデータコンテンツの共通化を可能としたが、本発明にかかる所定の通信媒体は音声通話回線であってもよい。この場合、例えば音声通話のためのコネクションが確立されている時に、その音声通話回線を通じて上述したようなコンテンツ共通化関連情報の送受信がなされる。また、本発明にかかる所定の通信媒体として、例えばいわゆるテレビ電話回線のように音声通話とデータの両方の通信が同時に可能となされた通信媒体を用いた場合、上記コンテンツ共通化関連情報は、上記データ用の情報として送受信することができる。
【００７５】
また上述の実施形態では、ホームネットワークとしてＤＬＮＡを例に挙げたが、本発明はＤＬＮＡに限らす、各種ネットワークのサーバ内のコンテンツを共有化する場合に適用可能である。
【００７６】
また、上述の実施形態では、ユーザＡとユーザＢの二者間でデータコンテンツを共有する例を挙げたが、例えばユーザＡ側から送信されるコンテンツ共有化確認要求メールを、複数のユーザに宛てて送信し、それら複数のユーザからコンテンツ共有化確認応答メールの返信を受けるようなことを行えば、同時に複数のユーザのホームネットワーク間でデータコンテンツを共有することが可能となる。また例えば、複数のユーザのホームネットワーク間でデータコンテンツの共有化を可能にする場合において、例えばユーザＡとユーザＢの二者間でデータコンテンツの共有がなされている時に、別のユーザからのアクセスがあった場合、それら二者間でデータコンテンツが共有状態にあることを当該別のユーザへ通知することもでき、さらにその後、当該別のユーザとの間でデータコンテンツの共有化に関する確認と認証を行うようにしてもよい。
【００７７】
その他、ビデオデータやオーディオデータのデータコンテンツの再生は、テレビジョンモニタによるもののほか、携帯電話端末にて行われる場合にも本発明実施形態は対応可能である。
【００７８】
また、本実施形態では、本発明に係る携帯情報端末として携帯電話端末を挙げたが、携帯情報端末はパーソナルコンピュータやＰＤＡ（Personal Digital Assistant）等であってもよい。
【図面の簡単な説明】
【００７９】
【図１】本発明実施形態の情報共有システムの概略構成を示す図である。
【図２】本発明実施形態のデータコンテンツ共有のシーケンスの一例を示す図である。
【図３】本発明実施形態の携帯電話端末の概略的な内部回路構成を示すブロック図である。
【符号の説明】
【００８０】
１０  ユーザＡの携帯電話端末、１１  ユーザＡのホームネットワーク内のホームサーバ、１２、ユーザＡのホームネットワーク内のテレビジョンモニタ、１３  ユーザＡのホームネットワーク内の無線ＬＡＮアクセスポイント、２０  ユーザＢの携帯電話端末、２１  ユーザＢのホームネットワーク内のテレビジョンモニタ、２２  ユーザＢのホームネットワーク内の無線ＬＡＮアクセスポイント、Ｎ  インターネット、Ｍ  携帯電話ネットワーク、４０  制御部、４１  通信回路、４２  通信アンテナ、４３  表示部、４４  操作部、４５  メモリ部、４６  ＤＬＮＡ関連プログラム、４７  コンテンツ共有化プログラム、４８  電子メールプログラム、５０  スピーカ、５１  マイクロホン、５２  音声処理部、５３  画像処理部、５４  近距離無線通信部
【図１】
2008262277.tif 000003
【図２】
2008262277.tif 000004
【図３】
2008262277.tif 000005